(57)【要約】【課題】本発明は、従来にない作用効果を発揮する画期的な反転装置を提供することを目的とする。【解決手段】基体に駆動部の駆動により回転する回転部を設け、この回転部に被反転物に掛け回す若しくは連結する長尺体を設けて、前記基体を上昇させて前記長尺体を介して前記被反転物を宙吊り状態とし、前記回転部の回転により前記長尺体が長さ方向へ移動することに伴い前記被反転物を反転し得るように構成した反転装置であって、フォークリフトにより前記基体を昇降自在に構成し、前記フォークリフトの操縦者が操作するコントローラから送信する制御信号に基づき前記駆動部の駆動を制御して前記反転作業を行い得る駆動制御部を具備したものである。【選択図】図１
2015030598.tif 000002
【特許請求の範囲】
【請求項１】
基体に駆動部の駆動により回転する回転部を設け、この回転部に被反転物に掛け回す若しくは連結する長尺体を設けて、前記基体を上昇させて前記長尺体を介して前記被反転物を宙吊り状態とし、前記回転部の回転により前記長尺体が長さ方向へ移動することに伴い前記被反転物を反転し得るように構成した反転装置であって、前記基体に垂下部を対向状態に設け、この各垂下部の下部にフォークリフトのフォークを挿入するフォーク挿入部を設けて、前記フォークリフトにより前記基体を昇降自在に構成し、前記フォークリフトの操縦者が操作するコントローラから送信する制御信号に基づき前記駆動部の駆動を制御して前記反転作業を行い得る駆動制御部を具備したことを特徴とする反転装置。
【請求項２】
前記垂下部同士間の収納スペースに、前記駆動制御部を収納した制御ボックスを配設したことを特徴とする請求項１記載の反転装置。
【請求項３】
前記基体を左右に長い長尺ボックスで構成し、前記回転部は左右に長い回転軸で構成し、この回転部を前記基体に収納配設したことを特徴とする請求項１，２のいずれか１項に記載の反転装置。
【請求項４】
前記回転部の左右端部に前記長尺体を掛け回す掛回部を設けて、前記回転部の回転により前記掛回部が回転することで、前記長尺体が長さ方向へ移動するように構成したことを特徴とする請求項３記載の反転装置。
【請求項５】
前記基体を左右に長い長尺ボックスで構成し、前記回転部は左右に長い回転軸で構成し、この回転部を前記基体に収納配設し、前記回転部の左右端部に前記長尺体を掛け回す掛回部を設けて、前記回転部の回転により前記掛回部が回転することで、前記長尺体が長さ方向へ移動するように構成し、前記基体の左右対向位置にして前記掛回部同士間となる位置に前記垂下部を設け、この垂下部同士間の収納スペースに、前記駆動制御部を収納した制御ボックスを配設したことを特徴とする請求項１記載の反転装置。
【請求項６】
前記フォーク挿入部の下部にキャスターを設けたことを特徴とする請求項１〜５のいずれか１項に記載の反転装置。
【発明の詳細な説明】
【技術分野】
【０００１】
本発明は、例えばコンクリート製品や型枠などの被反転物を反転する反転装置に関するものである。
【背景技術】
【０００２】
従来から、例えばコンクリート製品や型枠などの重量の大きな被反転物を反転する反転装置として、例えば特開平６−１６３８７号に開示されるような反転装置（以下、従来例）が種々提案されている。
【０００３】
これら従来例は、基体に設けた駆動モーターの駆動軸に被反転物に掛け回すチェーンをスプロケットを介して設け、基体を上昇させてチェーンを掛け回した被反転物を宙吊り状態とし、駆動軸の駆動によりチェーンが長さ方向へ移動することに伴い被反転物を反転し得るように構成したものである。
【先行技術文献】
【特許文献】
【０００４】
【特許文献１】特開平６−１６３８７号公報
【発明の概要】
【発明が解決しようとする課題】
【０００５】
ところで、従来例は、基体の上部中央位置にはクレーンから垂設される吊り上げロープのフックを係止する係止部が設けられており、例えば工場内にてクレーンを用いて基体を吊り上げて被反転物を宙吊り状態として反転させているが、例えば屋外のようなクレーンが無い場所、或いは、クレーン車が入れないような狭い場所において被反転物の反転作業が行えないという問題点がある。
【０００６】
また、従来例は、前述したようにクレーン（吊り上げロープ）を用いて基体を吊り上げる構造の為、特に屋外では風に煽られて揺れる場合があるなど、基体を昇降する際の安定性を向上したいという要求がある。
【０００７】
本発明は、前述した問題点を解消する、従来にない作用効果を発揮する画期的な反転装置を提供する。
【課題を解決するための手段】
【０００８】
添付図面を参照して本発明の要旨を説明する。
【０００９】
基体１に駆動部３の駆動により回転する回転部２を設け、この回転部２に被反転物４に掛け回す若しくは連結する長尺体５を設けて、前記基体１を上昇させて前記長尺体５を介して前記被反転物４を宙吊り状態とし、前記回転部２の回転により前記長尺体５が長さ方向へ移動することに伴い前記被反転物４を反転し得るように構成した反転装置であって、前記基体１に垂下部９を対向状態に設け、この各垂下部９の下部にフォークリフト20のフォーク20ａを挿入するフォーク挿入部７を設けて、前記フォークリフト20により前記基体１を昇降自在に構成し、前記フォークリフト20の操縦者Ｐが操作するコントローラ10から送信する制御信号に基づき前記駆動部３の駆動を制御して前記反転作業を行い得る駆動制御部８を具備したことを特徴とする反転装置に係るものである。
【００１０】
また、前記垂下部９同士間の収納スペースＳに、前記駆動制御部８を収納した制御ボックス12を配設したことを特徴とする請求項１記載の反転装置に係るものである。
【００１１】
また、前記基体１を左右に長い長尺ボックスで構成し、前記回転部２は左右に長い回転軸で構成し、この回転部２を前記基体１に収納配設したことを特徴とする請求項１，２のいずれか１項に記載の反転装置に係るものである。
【００１２】
また、前記回転部２の左右端部に前記長尺体５を掛け回す掛回部６を設けて、前記回転部２の回転により前記掛回部６が回転することで、前記長尺体５が長さ方向へ移動するように構成したことを特徴とする請求項３記載の反転装置に係るものである。
【００１３】
また、前記基体１を左右に長い長尺ボックスで構成し、前記回転部２は左右に長い回転軸で構成し、この回転部２を前記基体１に収納配設し、前記回転部２の左右端部に前記長尺体５を掛け回す掛回部６を設けて、前記回転部２の回転により前記掛回部６が回転することで、前記長尺体５が長さ方向へ移動するように構成し、前記基体１の左右対向位置にして前記掛回部６同士間となる位置に前記垂下部９を設け、この垂下部９同士間の収納スペースＳに、前記駆動制御部８を収納した制御ボックス12を配設したことを特徴とする請求項１記載の反転装置に係るものである。
【００１４】
また、前記フォーク挿入部７の下部にキャスター11を設けたことを特徴とする請求項１〜５のいずれか１項に記載の反転装置に係るものである。
【発明の効果】
【００１５】
本発明は上述のように構成したから、フォークリフトを用いて基体を簡易且つ確実に昇降することができ、よって、例えば屋外のようなクレーンが無い場所であったり、クレーン車が入れない狭い場所であっても、フォークリフトを用いて被反転物の反転作業が確実に行えることになり、しかも、フォークリフトは、例えば吊り上げロープなどを使用せず基体をフォークで直接支承する構造であるから基体を安定的に昇降することができ、また、クレーンに比して高さの低いフォークリフトであっても垂下部の分だけ高さを稼げて基体を反転作業を行うに十分な位置まで上昇させることができることになり、そして更に、駆動部の駆動制御をフォークリフトの操縦者が操作するコントローラから送信する制御信号に基づき行う構造であり遠隔操作を行うことができるから、例えばフォークリフトを操縦する操縦者が該フォークリフトに乗った状態で被反転物の反転作業を行えることになるなど、従来にない作用効果を発揮する画期的な反転装置となる。
【００１６】
また、請求項２記載の発明においては、垂下部同士間の収納スペースに、駆動制御部を収納した制御ボックスを配設するという効率良い構造であり、しかも、重量のある構造を基体の下方側に配設することで昇降するものとして安定性に秀れることになるなど、従来にない作用効果を発揮する画期的な反転装置となる。
【００１７】
また、請求項３記載の発明においては、非常にコンパクトな構造であり、しかも、長尺ボックスから成る基体内に回転部を収納することで、回転部が濡れたり汚れたりすることを抑制することができ、特に屋外で使用するもとして秀れ、また、回転するものが露出しておらず安全であるなど、従来にない作用効果を発揮する画期的な反転装置となる。
【００１８】
また、請求項４記載の発明においては、被反転物を左右で支持して確実且つ安定的に反転することができるなど、従来にない作用効果を発揮する画期的な反転装置となる。
【００１９】
また、請求項５記載の発明においては、具体的な構造から前述した作用効果が確実に発揮することになるなど、従来にない作用効果を発揮する画期的な反転装置となる。
【００２０】
また、請求項６記載の発明においては、基体の移動はキャスターを用いて行うことができ、特に屋外で使用する際に有用であるなど、従来にない作用効果を発揮する画期的な反転装置となる。
【図面の簡単な説明】
【００２１】
【図１】本実施例を示す斜視図である。
【図２】本実施例を示す説明断面図である。
【図３】本実施例に係る要部の説明図である。
【図４】本実施例の使用状態説明図である。
【図５】本実施例の使用状態説明図である。
【発明を実施するための形態】
【００２２】
好適と考える本発明の実施形態（発明をどのように実施するか）を、図面に基づいて本発明の作用を示して簡単に説明する。
【００２３】
被反転物４を反転するに際し、例えば被反転物４に長尺体５を掛け回すか若しくは連結し、フォーク挿入部７に挿入したフォークリフト20のフォーク20ａを上昇させると、基体１は上昇して長尺体５を介して被反転物４は宙吊り状態となる。この状態で回転部２の回転により長尺体５が長さ方向へ移動すると、これに伴い被反転物４は反転する。
【００２４】
従って、本発明は、屋外のようなクレーンが無い場所であったりクレーン車が入れない狭い場所であっても、高い機動性を発揮するフォークリフト20を用いて基体１を上昇させて簡易且つ確実に被反転物４を反転させることができる。
【００２５】
また、フォークリフト20は、例えば吊り上げロープなどを使用せずともフォーク20ａで直接支承する構造であるから、基体１を安定的に昇降することができる。
【００２６】
また、本発明は、基体１に垂下部９を対向状態に設けており、この垂下部９を介して基体１を所定の高さ位置に支承保持することができ、しかも、フォーク挿入部７は各垂下部９の下部に設けた構成であるから、回転部２からこの垂下部９の高さ分の下方位置をフォーク20ａで支持した状態で基体１を上昇させることができ、即ち、クレーンに比して高さの低いフォークリフト20であっても垂下部９の分だけ高さを稼げて基体１を反転作業を行うに十分な位置まで上昇させることができる。
【００２７】
また、本発明は、駆動部３の駆動制御をフォークリフト20の操縦者が操作するコントローラ10から送信する制御信号に基づき行う構造であり、遠隔操作により被反転物４の反転作業を行えることができ、この点においても、被反転物４の反転作業が極めて簡易且つ確実に行えることになる。
【実施例】
【００２８】
本発明の具体的な実施例について図面に基づいて説明する。
【００２９】
本実施例は、基体１に駆動部３の駆動により回転する回転部２を設け、この回転部２に被反転物４に掛け回す若しくは連結する長尺体５を設けて、基体１を上昇させて長尺体５を介して被反転物４を宙吊り状態とし、回転部２の回転により長尺体５が長さ方向へ移動することに伴い被反転物４を反転し得るように構成した反転装置であって、基体１に垂下部９を対向状態に設け、この各垂下部９の下部にフォークリフト20のフォーク20ａを挿入するフォーク挿入部７を設けて、フォークリフト20により基体１を昇降自在に構成し、フォークリフト20の操縦者Ｐが操作するコントローラ10から送信する制御信号に基づき駆動部３の駆動を制御して反転作業を行い得る駆動制御部８を具備したものである。
【００３０】
具体的には、基体１は、図１，２に図示したように適宜な金属製部材（鋼材）で形成した角筒形状の長尺ボックスであり、左右に長さを有して後述する左右一対の垂下部９により水平状態に支承される。
【００３１】
垂下部９は、基体１の下面部の左右対向位置に垂設されており、角筒形状の支柱部材９ａと、この各支柱部材９ａの下端部に逆Ｔ字状に連設し水平方向に長さを有する角筒形状の接地部材９ｂとで構成されている。
【００３２】
また、各接地部材９ｂには、水平方向に長さを有して貫通する角筒孔から成る凹部７ａが設けられ、この凹部７ａは、フォークリフト20の左右のフォーク20ａ夫々を貫通挿入するフォーク挿入部７として構成されている。
【００３３】
また、垂下部９（各接地部材９ｂ）の下部にして前後位置にはキャスター11が設けられており、前後左右の計４つのキャスター11で接地している。
【００３４】
従って、基体１はキャスター11を用いて作業者の押し引き作業によっても移動自在となる。
【００３５】
また、基体１の下面部中央位置にして垂下部９同士間の収納スペースＳには、後述する駆動制御部８を収納した金属製の制御ボックス12が配設されている。
【００３６】
尚、垂下部９の数やフォーク挿入部７の位置や数は適宜設計変更し得るものである。
【００３７】
また、基体１内には回転部２が収納配設されている。
【００３８】
この回転部２は、図２に図示したように左右に長い金属製の回転軸で構成され、基体１内の左右位置に設けた計４つの軸受部13に回転自在に横設して構成されている。
【００３９】
また、回転部２の左右端部には掛回部６が設けられている。
【００４０】
この各掛回部６は、図２，３に図示したように回転部２の周面所定位置にロードシーブ（荷鎖車）を設けて構成されており、この各掛回部６に後述する長尺体５のチェーン部材５Ａが折り返し状態で掛け回し係止するように構成されている。
【００４１】
従って、回転部２の回転により掛回部６は回転し、この掛回部６に折り返し状態で掛け回した長尺体５は長さ方向に移動することになる。
【００４２】
また、本実施例は、掛回部６は、基体１の左右位置夫々に所定間隔を介して複数（２つ）設けられており、これは、被反転物４の大きさ（長さ）に対応して回転部２に対する長尺体５の設ける位置（掛回部６）を選択し得るようにするための構成である。
【００４３】
また、基体１の下面部の左右位置にして前述した掛回部６が設けられる位置には、貫通孔14が形成されており、この各貫通孔14は掛回部６に掛け回した長尺体５の通過を許容する開口窓である。
【００４４】
また、回転部２の一端部には駆動部３（駆動モーター）が設けられており、回転部２はこの駆動部３の駆動により軸回転することになる。
【００４５】
また、この駆動部３は、後述する駆動制御部８から送信される信号に基づき駆動制御される。
【００４６】
駆動制御部８は、基体１の中央下面部に設けた収納ボックス12内に収納配設されており、コントローラ10の送信部から送信する制御信号を受信する受信部を有し、この受信した制御信号に基づき駆動部３の駆動を制御して反転作業を行い得るように構成されている。
【００４７】
従って、フォークリフト20の操縦者Ｐがフォークリフト20に乗った状態で、フォークリフト20の操縦を行うと共にコントローラ10を操作し、被反転物４の反転作業を一人で行えることになる。尚、本実施例では、制御信号の送受信を無線で行う構造としたが有線でも良い。
【００４８】
本実施例で使用する長尺体５は、図１〜５に図示したように左右両端部にフック部５ａを備えた金属製のチェーン部材５Ａと、このチェーン部材５Ａの左右両端部（各フック部５ａ）に連結し、被反転物４に掛け回す生地製のベルト部材５Ｂとで構成されている。
【００４９】
尚、長尺体５は前述した構造に限られるものではなく、例えば被反転物４に掛け回す構造でなく、被反転物４に例えばフックなどで連結する構造のものでも良い。
【００５０】
符号15は長尺体５の過移動を検知するリミットスイッチ、16は基体１の上部中央位置に設けられクレーンから垂設される吊り上げ部21を連結する連結部、17は長尺体５の不使用時に長尺体５のフック部５ａを引っ掛け係止する係止部、18はバッテリーである。
【００５１】
本実施例は上述のように構成したから、被反転物４を反転するに際し、被反転物４に長尺体５を掛け回すし、フォーク挿入部７に挿入したフォークリフト20のフォーク20ａを上昇させると、基体１は上昇して長尺体５を介して被反転物４は宙吊り状態となる（図４参照）。この状態で回転部２の回転により長尺体５が長さ方向へ移動すると、これに伴い被反転物４は反転する（図５参照）。
【００５２】
よって、本実施例によれば、屋外のようなクレーンが無い場所であったりクレーン車が入れない狭い場所であっても、高い機動性を発揮するフォークリフト20を用いて基体１を上昇させて簡易且つ確実に被反転物４を反転させることができる。
【００５３】
また、本実施例は、フォークリフト20は、例えば吊り上げロープなどを使用せずともフォーク20ａで直接支承する構造であるから、基体１を安定的に昇降することができる。
【００５４】
また、本実施例は、基体１に垂下部９を対向状態に設けており、この垂下部９を介して基体１を所定の高さ位置に支承保持することができ、しかも、フォーク挿入部７は各垂下部９の下部に設けた構成であるから、回転部２からこの垂下部９の高さ分の下方位置をフォーク20ａで支持した状態で基体１を上昇させることができ、即ち、クレーンに比して高さの低いフォークリフト20であっても垂下部９の分だけ高さを稼げて基体１を反転作業を行うに十分な位置まで上昇させることができる。
【００５５】
また、本実施例は、駆動部３の駆動制御をフォークリフト20の操縦者Ｐが操作するコントローラ10から送信する制御信号に基づき行う構造であり、遠隔操作により被反転物４の反転作業を行えることができ、この点においても、被反転物４の反転作業が極めて簡易且つ確実に行えることになる。
【００５６】
また、本実施例は、垂下部９同士間の収納スペースＳに、駆動制御部８を収納した制御ボックス12を配設するという効率良い構造であり、しかも、重量のある構造を基体１の中央下方位置に配設することで昇降するものとして安定性に優れることになる。
【００５７】
また、本実施例は、基体１を左右に長い長尺ボックスで構成し、回転部２は左右に長い回転軸で構成し、この回転部２を基体１に収納配設したから、非常にコンパクトな構造であり、しかも、長尺ボックスから成る基体１内に回転部２を収納することで、回転部２が濡れたり汚れたりすることを抑制することができ、特に屋外で使用するもとして秀れ、また、回転するものが露出しておらず安全である。
【００５８】
また、本実施例は、回転部２の左右端部に長尺体５を掛け回す掛回部６を設けて、回転部２の回転により掛回部６が回転することで、長尺体５が長さ方向へ移動するように構成したから、被反転物４を左右で支持して確実且つ安定的に反転することができる。
【００５９】
また、本実施例は、フォーク挿入部７の下部にキャスター11を設けたから、基体１の移動はこのキャスター11を用いて行うことができ、特に屋外で使用する際に有用である。
【００６０】
尚、本発明は、本実施例に限られるものではなく、各構成要件の具体的構成は適宜設計し得るものである。
【符号の説明】
【００６１】
Ｐ  操縦者
Ｓ  収納スペース
１  基体
２  回転部
３  駆動部
４  被反転物
５  長尺体
６  掛回部
７  フォーク挿入部
８  駆動制御部
９  垂下部
10  コントローラ
11  キャスター
12  制御ボックス
20  フォークリフト
20ａ  フォーク
【図１】
2015030598.tif 000003
【図２】
2015030598.tif 000004
【図３】
2015030598.tif 000005
【図４】
2015030598.tif 000006
【図５】
2015030598.tif 000007